(57)【要約】【課題】果実カバー及びそれを用いる作物の栽培方法を提供すること。【解決手段】熱可塑性樹脂糸からなるネットが、個々の果実の上部を被覆したときの形状がかさ状になるように形成された果実カバー。【選択図】図８
2015029430.tif 000002
【特許請求の範囲】
【請求項１】
熱可塑性樹脂糸からなるネットが、個々の果実の上部を被覆したときの形状がかさ状になるように形成された果実カバー。
【請求項２】
ネットが、編構造のネットである、請求項１に記載の果実カバー。
【請求項３】
ネットが、織構造のネットである、請求項１に記載の果実カバー。
【請求項４】
熱可塑性樹脂糸は、紫外線吸収剤が保持されている熱可塑性樹脂糸である、請求項１〜３のいずれかに記載の果実カバー。
【請求項５】
ネットが、黒色または暖色のネットである、請求項１〜４のいずれかに記載の果実カバー。
【請求項６】
ネットが、網目の大きさ（ホールサイズ）０．２から２０ｍｍまでの範囲のネットである、請求項１〜５のいずれかに記載の果実カバー。
【請求項７】
ネットが、多層構造ネットである、請求項１〜６のいずれかに記載の果実カバー。
【請求項８】
熱可塑性樹脂糸が、太さ５０から５００デニールまでの範囲の熱可塑性樹脂糸である、請求項１〜７のいずれかに記載の果実カバー。
【請求項９】
その略中央に穴と、端の部分から該穴まで一箇所の切り込みとが形成されている、請求項１〜８のいずれかに記載の果実カバー。
【請求項１０】
請求項１〜９のいずれかに記載の果実カバーを果実に取り付ける作物の栽培方法。
【請求項１１】
請求項１〜９のいずれかに記載の果実カバーを、作物の花芽形成時期から果実成熟期までの期間果実に取り付ける作物の栽培方法。
【発明の詳細な説明】
【技術分野】
【０００１】
本発明は、果実カバーに関する。
【背景技術】
【０００２】
従来から、作物の品質低下を防止することを目的として様々な工夫が行われている。例えば、雨よけとして果樹を覆うシートが提案されている（特許文献１参照）。
【先行技術文献】
【特許文献】
【０００３】
【特許文献１】国際公開第２０１２／００８８５９号
【発明の概要】
【発明が解決しようとする課題】
【０００４】
昨今、高級品志向の消費者ニーズにこたえるため、作物のさらなる品質向上が求められている。かかる状況下、本発明は果実カバー及びそれを用いる作物の栽培方法を提供することを目的としている。
【課題を解決するための手段】
【０００５】
本発明者は、検討の結果、熱可塑性樹脂糸からなるネットが、個々の果実の上部を被覆したときの形状がかさ状になるように形成された果実カバーを使用することにより、品質の良好な果実を収穫することができることを見出した。
すなわち、本発明は、次の通りである。
［１］  熱可塑性樹脂糸からなるネットが、個々の果実の上部を被覆したときの形状がかさ状になるように形成された果実カバー。
［２］  ネットが、編構造のネットである、［１］に記載の果実カバー。
［３］  ネットが、織構造のネットである、［１］に記載の果実カバー。
［４］  熱可塑性樹脂糸は、紫外線吸収剤が保持されている熱可塑性樹脂糸である、［１］〜［３］のいずれかに記載の果実カバー。
［５］  ネットが、黒色または暖色のネットである、［１］〜［４］のいずれかに記載の果実カバー。
［６］  ネットが、網目の大きさ（ホールサイズ）０．２から２０ｍｍまでの範囲のネットである、［１］〜［５］のいずれかに記載の果実カバー。
［７］  ネットが、多層構造ネットである、［１］〜［６］のいずれかに記載の果実カバー。
［８］  熱可塑性樹脂糸が、太さ５０から５００デニールまでの範囲の熱可塑性樹脂糸である、［１］〜［７］のいずれかに記載の果実カバー。
［９］  その略中央に穴と、端の部分から該穴まで一箇所の切り込みとが形成されている、［１］〜［８］のいずれかに記載の果実カバー。
［１０］  ［１］〜［９］のいずれかに記載の果実カバーを果実に取り付ける作物の栽培方法。
［１１］  ［１］〜［９］のいずれかに記載の果実カバーを、作物の花芽形成時期から果実成熟期までの期間果実に取り付ける作物の栽培方法。
【発明の効果】
【０００６】
本発明によれば、品質の良好な果実を収穫することができる。
【図面の簡単な説明】
【０００７】
【図１】編構造のネットの部分図である。
【図２】織構造のネットの部分図である。
【図３】網目の形状が四角形であるネットの部分図である。
【図４】網目の形状が六角形であるネットの部分図である。
【図５】円形である本発明の果実カバーを広げて水平に置いた状態の平面図である。
【図６】多角形である本発明の果実カバーを広げて水平に置いた状態の平面図である。
【図７】多角形である本発明の果実カバーを広げて水平に置いた状態の平面図である。
【図８】円形である本発明の果実カバーを果実に取り付けた状態を示す説明図である。
【図９】多角形である本発明の果実カバーを果実に取り付けた状態を示す説明図である。
【発明を実施するための形態】
【０００８】
本発明の果実カバーは、果実の上部に取り付けて被覆したときの形状がかさ状であることを特徴とする。図５、６及び７は、果実カバーを広げて水平に置いた状態の形状の一例を示している。果実カバーを広げて水平に置いた状態の形状は特に限定されないが、円形、または多角形が好ましい。本発明の果実カバーは、その略中央に穴と、端の部分から該穴まで一箇所の切り込みとが形成されている果実カバーであることが好ましく、該穴は、個々の果実の果柄部又は果梗部（作物がパイナップルの場合は冠芽の基部）を通すための穴である。
【０００９】
本発明の果実カバーは、熱可塑性樹脂糸からなるネットを前記形状に形成して得られる。かかるネットは、熱可塑性樹脂を紡糸して得られた糸を、多数の網目を形成するように、編んで又は織って形成できる。上記ネットは、編まれて形成された場合には編構造を有し、織られて形成された場合には織構造を有している。図１は、糸１を、多数の網目３を形成するように、編んで形成された、編構造のネットの一例を示し、図２は、糸１を、多数の網目３を形成するように、織って形成された、織構造のネットの一例を示している。
【００１０】
かかるネットの網目の形状は、単一形状であり、四角形、六角形及び八角形等の多角形であることが好ましい。網目の形状が四角形の場合は、網目の大きさ（ホールサイズ）は四角形の一辺の長さともう一辺の長さとで表される。図３において、四角形の一辺を長さａ、もう一辺を幅ｂで示しており、長さａと幅ｂとが同一である場合は網目の形状が正方形であり、網目の大きさは正方形の一辺の長さを指す。網目の形状が六角形または八角形の場合は、網目の大きさは対角線の長さで表される。図４は、網目の形状が六角形の場合、網目の大きさは対角線ｃの長さであることを示している。かかる網目の大きさは、通常０．１から５０ｍｍまで、好ましくは０．２から２０ｍｍまで、より好ましくは０．２から１０ｍｍまでの範囲である。
【００１１】
熱可塑性樹脂としては、ポリオレフィン系樹脂、ポリビニルアルコール、ポリ酢酸ビニル、ポリカーボネート、ポリエステル、ポリアミド、ポリスチレン、ポリメタクリル酸メチル、アクリロニトリル−ブタジエン−スチレン共重合体、及びポリ塩化ビニルなどが挙げられる。かかる熱可塑性樹脂としては、ポリオレフィン系樹脂が好ましい。また、ポリオレフィン系樹脂としては、次の化合物が好ましい。
（ｉ）α−オレフィンの単独重合体：ポリエチレン、ポリプロピレンなど。
（ii）エチレン−α−オレフィン共重合体：エチレン−プロピレン共重合体、エチレン−ブテン−１共重合体、エチレン−４−メチル−１−ペンテン共重合体、エチレン−ヘキセン共重合体など。
（iii）エチレン性不飽和結合を有する有機カルボン酸誘導体とエチレンとの共重合体：エチレン−メチルメタクリレート共重合体、エチレン−酢酸ビニル共重合体、エチレン−アクリル酸共重合体、エチレン−酢酸ビニル−メチルメタクリレート共重合体など。
【００１２】
本発明における熱可塑性樹脂糸は、所定の太さを有するモノフィラメントまたはマルチフィラメントであり、モノフィラメントの使用が好ましい。本発明において、所定の太さとは、果実カバーとしての強度を維持できる太さであり、通常１０から１０００デニールまで、好ましくは５０から５００デニールまで、より好ましくは５０から３００デニールまでの範囲である。
【００１３】
本発明において、熱可塑性樹脂糸としては、紫外線吸収剤が保持されている熱可塑性樹脂糸の使用が好ましい。かかる紫外線吸収剤としては、例えば、２−ヒドロキシ−４−メトキシベンゾフェノン、２−ヒドロキシ−４−メトキシ−２’−カルボキシベンゾフェノン、２−ヒドロキシ−４−オクトオキシベンゾフェノン、２−ヒドロキシ−４−ｎ−ドデシルオキシベンゾフェノン、２−ヒドロキシ−４−ｎ−オクタデシルオキシベンゾフェノン、２−ヒドロキシ−４−ベンジルオキシベンゾフェノン、２−ヒドロキシ−４−メトキシ−５−スルホベンゾフェノン、２−ヒドロキシ−５−クロロベンゾフェノン、２，４−ジヒドロキシベンゾフェノン、２，２’−ジヒドロキシ−４−メトキシベンゾフェノン、２，２’−ジヒドロキシ−４，４’−ジメトキシベンゾフェノン、２，２’，４，４’−テトラヒドロキシベンゾフェノン等のベンゾフェノン系紫外線吸収剤；２−（２−ヒドロキシ−５−メチルフェニル）ベンゾトリアゾール、２−（２−ヒドロキシ−５−ｔ−ブチルフェニル）ベンゾトリアゾール、２−（２−ヒドロキシ−３，５−ジメチルフェニル）ベンゾトリアゾール、２−（２−メチル−４−ヒドロキシフェニル）ベンゾトリアゾール、２−（２−ヒドロキシ−３−メチル−５−ｔ−ブチルフェニル）ベンゾトリアゾール、２−（２−ヒドロキシ−３，５−ジ−ｔ−アミルフェニル）ベンゾトリアゾール、２−（２−ヒドロキシ−３，５−ジ−ｔ−ブチルフェニル）ベンゾトリアゾール、２−（２−ヒドロキシ−３−ｔ−５−メチルフェニル）−５−クロロ−２Ｈ−ベンゾトリアゾール等のヒドロキシフェニル置換ベンゾトリアゾール化合物であるベンゾトリアゾール系紫外線吸収剤；２，４−ジ−ｔ−ブチルフェニル−３，５−ジ−ｔ−ブチル−４−ヒドロキシベンゾエート−等のベンゾエート系紫外線吸収剤等が挙げられる。これら紫外線吸収剤の中では、ベンゾフェノン系紫外線吸収剤またはベンゾトリアゾール系紫外線吸収剤が好ましい。紫外線吸収剤が保持されている熱可塑性樹脂糸は、例えば、熱可塑性樹脂と紫外線吸収剤とを混合し、得られた混合物を溶融混練することにより樹脂組成物を得、該樹脂組成物を紡糸することにより得ることができる。紫外線吸収剤の保持量は、前記熱可塑性樹脂糸１００重量％に対して、通常０．０１〜５０重量％、好ましくは０．１〜２５重量％の範囲である。紫外線吸収剤は１種類を用いても良いし、ベンゾフェノン系紫外線吸収剤およびベンゾトリアゾール系紫外線吸収剤を混合するなど、複数種類を組み合わせても良い。
【００１４】
本発明の果実カバーは、着色されていてもよい。通常は、着色された熱可塑性樹脂糸からなるネットを前記形状に形成することにより得られる。着色された熱可塑性樹脂糸は、例えば、熱可塑性樹脂と着色剤とを混合し、得られた混合物を溶融混練することにより樹脂組成物を得、該樹脂組成物を紡糸することにより得ることができる。かかる着色剤としては、無機顔料、有機顔料及び染料が挙げられる。
無機顔料としては、例えば、酸化物（二酸化チタン（PW−６）、亜鉛華（PW−４）、べんがら（PR−１０１）、鉄黒（PBｋ−１１））、複合金属酸化物（チタンイエロー（PY−５３）、コバルトブルー（PB−２８）、亜鉛フェライト（PBｒ−１１）、バナジウム酸ビスマス（PY−１８４））、水酸化物（黄色酸化鉄（PY−４２）、硫化物（カドミウムイエロー（PY−３７）、カドミウムレッド（PR−１０８））、クロム酸塩（黄鉛（PY−３４）、モリブデートオレンジ（PR−１０４））、硫酸塩（沈降性硫酸バリウム（PW−２１））、炭酸塩（沈降性炭酸カルシウム（PW−１８））、珪酸塩（群青＝ウルトラマリンブルー（PB−２９）、ホワイトカーボン（PW−２７））、フェロシアン化物（紺青（PB−２７））、燐酸塩（マンガンバイオレット（PV−６）、コバルトバイオレット（PB−１４））、炭素（カーボンブラック（PBｋ−７））、金属粉（アルミニウム粉（PM−１）、ブロンズ粉（PM−２）、亜鉛末（PM−６））、パール顔料（酸化チタン被覆雲母、酸化鉄被覆雲母）がある。
有機顔料としては、例えば、染付けレーキ（ローダミン６Gレーキ（PR−８１））、キノリンイエローレーキ（PY−１１６））、アゾ系（レーキレッドC（PR−５３：１）、ブリリアントカーミン６B（PR−５７：１）、ボルドー１０B（PR−６３：１）、ナフトールASレッド（PR−２４３）、溶性アリライドイエロー（PY−６１）、トルイジンレッド（PR−３）、パーマネントオレンジ２G（PO−５）、ナフトールレッドF5RK（PR−１７０）、パーマネントレッドFB（PR−５）、ベンズイミダゾロンカーミンHF４C（PR−１８５）、アリライドイエローG（PY−１）、アリライドイエロー１０G（PY−３）、ベンズイミダゾロンイエローH３G（PY−１５４）、ジアリライドイエローHR（PY−８３）、ジアリライドイエローH１０G（PY−８１）、ファーストイエローR（PY−１０）、ピラゾロンオレンジ（PO−１３）、ピラゾロンレッド（PR−３８）、縮合アゾレッドBRN（PR−１４４）、縮合アゾスカーレットRN（PR−１６６）、縮合アゾイエロー３G（PY−９３）、縮合アゾイエローGR（PY−９５））、フタロシアニン系（無金属銅フタロシアニンブルー（PB−１６）、銅フタロシアニンブルー（PB−１５、１５：１〜１５：６）、銅フタロシアニンブルー（PB−１５：１、１５：２）、銅フタロシアニングリーン（PG−７）、臭素化銅フタロシアニングリーン（PG−３６））、縮合多環系（インダンスロンブルー（PB−６０）、フラバンスロンイエロー（PY−２４）、チオインジゴマゼンタ（PY−３８）、チオインジゴボルドー（PR−８８）、ペリノンオレンジ（PO−４３）、ペリノンレッド（PR−１９４）、ペリレンレッド（PR−１７８）、ペリレンマルーン（PR−１７９）、キノフタロンイエロー（PY−１３８）、ジオキサジンバイオレット（PV−２３）、無置換キナクリドンレッド（PV−１９）、キナクリドンマゼンタ（PR−１２２）、イソインドリノンイエローG（PY−１０９）、イソインドリノンイエローR（PY−１１０）、ニッケルアゾイエロー（PG−１０）、イソインドリンイエロー（PY−１３９）、ジケトピロロピロール（DPP）、レッド（PR−２５４，２５５，２６４，２７２））、ニトロ系（ナフトールイエローS）、ニトロン系（ピグメントグリーンB（PG−８））、昼光蛍光（ルモゲンイエロー）、その他アジン系（アニリンブラック（PBｋ−１））がある。
染料としては、例えば、アゾ系（Solvent Yellow １４、Solvent Yellow １６、Solvent Red ２４、Solvent Red ２７）、アンスラキノン系（Solvent Red ５２）、キノリン系（Disperse Yellow５４、Disperse Yellow １６０）、ペリレン系（Solvent Green ５）、ペリノン系（Solvent Orange ６０）、メチン系（Solvent Orange ８０、Solvent Yellow ９３）、チオインジゴ系（Vat Red ４１）、複素環系（Solvent Orange ６３）、塩基性染料、酸性染料がある。
【００１５】
本発明の果実カバーの色は、白、黒、灰色、紫、青、緑、黄色、橙および赤など、適宜着色することができるが、特に黒または暖色が好ましい。本発明における暖色とは、暖かい感じを与える色を意味し、波長５７１から７５０ｎｍまでの範囲の可視光線が人間の目に認識される色を指す。かかる色としては、赤、橙、黄、ピンクなどの色が挙げられる。
【００１６】
本発明における熱可塑性樹脂糸は、例えば、熱可塑性樹脂、必要に応じて紫外線吸収剤、着色剤及びその他の添加剤を溶融混練し、次いで溶融紡糸することにより製造される。溶融混練の方法は、例えば、１）予め、熱可塑性樹脂、必要に応じて紫外線吸収剤及び着色剤を混合し、得られた混合物を、押出機、ロール成形機、又はニーダー等を用いて溶融混練する方法、及び２）熱可塑性樹脂、必要に応じ紫外線吸収剤及び着色剤を別々に押出機等にフィードして、溶融混練する方法が挙げられる。また、押出機により溶融混練する場合、必要に応じて添加される紫外線吸収剤及び着色剤は、サイド押出機又はフィーダー等の原料添加装置等を用いて、押出機の途中から添加してもよい。
【００１７】
本発明の果実カバーは、２重以上の多層構造であってもよい。ネットを２枚重ねた場合は２重に、３枚重ねた場合は３重にして、前記形状に形成することにより、多層構造の果実カバーが得られる。
【００１８】
本発明の果実カバーは、カバーの穴に個々の果実の果柄部あるいは果梗部を通し、カバーの切り込みの左右を重ねて、果実の上部にかさのように取り付けて使用する。左右の重ね方は、何も使わず、単に重なっているだけでもよいが、重なっている部分をステープラー等を用いて針を突き刺して綴じてもよく、また左右それぞれに面ファスナーを取り付けて、付着させてもよい。図９は、本発明の果実カバー４をメロンの果実５に取り付けた状態の一例を示している。
【００１９】
本発明の果実カバーの寸法は、果実の種類、大きさによって異なるが、果実に取り付けた際に、果実が肥大し、成熟した際にもその上部を被覆できる寸法が必要である。作物がパイナップルの場合は、円形の果実カバーであれば、直径が１５から３０ｃｍまでの範囲、四角形の場合は一辺の長さが１５から３０ｃｍまでの範囲であることが好ましい。
【００２０】
本発明の果実カバーは、個々の果実の果柄部又は果梗部（作物がパイナップルの場合は冠芽の基部）を通すための穴を略中央に有する。その穴の寸法は、果実の種類、大きさによって異なるが、果実に取り付けた際に、果実が成熟する前から、果実が成熟した後にかけて脱落せず、また果実の肥大を抑制しない寸法が必要である。作物がパイナップルの場合は、直径５ｃｍ程度が好ましい。
【００２１】
本発明の果実カバーは果実を形成する作物に使用することができ、かかる作物としては、例えばナス、トマト、パパイヤ、ブドウ、カキ、モモ、ウメ、アンズ、オリーブ、マンゴー、カンキツ類、マメ類、トウガラシ、マンゴスチン、ドリアン、リンゴ、ナシ、ビワ、ブルーベリー、ウリ類、バナナ、ザクロ、クルミ、クリ、イチゴ、キイチゴ、イチジク、パイナップルが挙げられる。本発明の果実カバーは、殊に、パイナップル用として好適である。作物がパイナップルの場合、カバーの穴に冠芽の基部を通し、他の作物と同様に取り付けて使用する。図８は、本発明の果実カバー４をパイナップルの果実５に取り付けた状態の一例を示している。
【００２２】
本発明の果実カバーは、作物の栽培期間中に使用することができるが、花芽形成時期から果実成熟期までの期間における使用が好ましく、果実形成期から果実成熟期までがより好ましい。
【００２３】
本発明の果実カバーは、通常の栽培体系に組み込んで使用することができる。
【００２４】
本発明の果実カバーを果実に取り付けた状態で、殺虫剤、殺菌剤、除草剤、植物ホルモン等を施用してもよい。
【００２５】
本発明の果実カバーは、その素材が熱可塑性樹脂糸からなるネットであるため、紙と比較して耐候性に優れ、さらに脱着できることから繰り返し使用が可能であり、環境保護の観点において有利である。また、通水性に優れているため、果実カバーを取り付けた状態で農薬や植物ホルモン剤を散布することができるうえ、通気性にも優れ、過湿になることがない。
本発明の果実カバーの使用においては、個々の果実の上部にかさのように取り付けるだけなので、果実が圧迫されず果実肥大が抑制されることを懸念することがないうえに、袋状の果実カバーと異なり、果実の成熟度を確認するために果実カバーを破る必要もない。畝全面のカバーと異なり、材料費も低く抑えることができるうえ、防風面でも有利である。また、取り付けおよび取り外しの作業が簡便であり、作業面でも優れる。さらに、着色してあることから視認性に優れ、果実の場所および数の把握も容易であるうえ、果実の熟成度合いに応じてカバーの色を変えて管理できるなど、管理面での利点がある。
【実施例】
【００２６】
以下、本発明の果実カバーの実施例について説明する。なお、本発明は、これらの実施例に限定されない。
【００２７】
［参考例１］
２−（３−ｔ−ｂｕｔｙｌ−２−ｈｙｄｒｏｘｙ−５−ｍｅｔｈｙｌｐｈｅｎｙｌ）−５−ｃｈｌｏｒｏｂｅｎｚｏｔｒｉａｚｏｌｅ（商品名スミソーブ３００：住友化学社製）４．０重量部と、２−Ｈｙｄｒｏｘｙ−４−ｎ−ｏｃｔｏｘｙｂｅｎｚｏｐｈｅｎｏｎｅ（商品名スミソーブ１３０：住友化学社製）５．６７重量部と、ｐｈｏｓｐｈｏｒｏｕｓ  ａｃｉｄ  ｔｒｉ（２，４−ｄｉ−ｔ−ｂｕｔｙｌｐｈｅｎｙｌ)ｅｓｔｅｒ（商品名イルガホス１６８：ＢＡＳＦ社製）３．０重量部と、着色剤（カーボンブラック（PBｋ−７））８．０重量部と、低密度ポリエチレン（スミカセンF２００パウダー：住友化学社製）１９．３３重量部とを、スーパーミキサーで攪拌混合し、混合粉末を得た。単軸押出機１５０℃で低密度ポリエチレン（スミカセンＦ２００ペレット：住友化学社製）を溶融させたところへ、混合粉末を低密度ポリエチレン６０．０重量部に対して４０．０重量部となるように加えて混練し、ダイスから溶融混練物をストランド状に押出し、水冷の後、ペレタイザーで切断し、円柱形状のマスターバッチペレットＡを得た。
［参考例２］
ｐｈｏｓｐｈｏｒｏｕｓ  ａｃｉｄ  ｔｒｉ（２，４−ｄｉ−ｔ−ｂｕｔｙｌｐｈｅｎｙｌ)ｅｓｔｅｒ（商品名イルガホス１６８：ＢＡＳＦ社製）３．０重量部と、着色剤（カーボンブラック（PBｋ−７））８．０重量部と、低密度ポリエチレン（スミカセンF２００パウダー：住友化学社製）２９．０重量部とを、スーパーミキサーで攪拌混合し、混合粉末を得た。単軸押出機１５０℃で低密度ポリエチレン（スミカセンＦ２００ペレット：住友化学社製）を溶融させたところへ、混合粉末を低密度ポリエチレン６０．０重量部に対して４０．０重量部となるように加えて混練し、ダイスから溶融混練物をストランド状に押出し、水冷の後、ペレタイザーで切断し、円柱形状のマスターバッチペレットＡ’を得た。
［参考例３］
着色剤（カーボンブラック（PBｋ−７））８．０重量部を、着色剤（二酸化チタン（PW−６））７．４８重量部及び着色剤（ピグメントレッド１４４）０．５２重量部とした以外は参考例１と同様の操作を行い、マスターバッチペレットＢを得た。
［参考例４］
着色剤（カーボンブラック（PBｋ−７））８．０重量部を、着色剤（二酸化チタン（PW−６））７．４８重量部及び着色剤（ピグメントレッド１４４）０．５２重量部とした以外は参考例２と同様の操作を行い、マスターバッチペレットＢ’を得た。
［参考例５］
着色剤（カーボンブラック（PBｋ−７））８．０重量部を、低密度ポリエチレン（スミカセンF２００パウダー：住友化学社製）８．０重量部とした以外は参考例１と同様の操作を行い、マスターバッチペレットＣを得た。
［参考例６］
着色剤（カーボンブラック（PBｋ−７））８．０重量部を、低密度ポリエチレン（スミカセンF２００パウダー：住友化学社製）８．０重量部とした以外は参考例２と同様の操作を行い、マスターバッチペレットＣ’を得た。
［参考例７］
マスターバッチペレットと高密度ポリエチレン（Ｈｉｖｏｒｅｘ５０００Ｓ：ＬＯＴＴＥ  ＣＨＥＭＩＣＡＬ社製）とを、表１に示す組成になるようにスーパーミキサーで攪拌混合することにより、それぞれの混合物を得た。なお、表１において数字は重量部を示し、それぞれの混合物はその合計が１００．０重量部になる。
【００２８】
【表１】
2015029430.tif 000003
得られた混合物から、加工温度２４０℃にて、モノフィラメントを紡糸し、得られた樹脂糸を、多数の四角形の網目を形成するように、編んで、編み構造のネットを作製した。ネットにおける樹脂糸の太さ及び網目の大きさは表２の組み合わせになるように設定し、例えば、ネットＥとは、樹脂糸の太さは１２５デニールであり、網目の大きさは四角形の一辺が１．１〜１．２ｍｍの範囲、もう一辺が０．６〜１．０ｍｍの範囲であることを示す。
【００２９】
【表２】
2015029430.tif 000004
【００３０】
［実施例１］
表３に記載のネット１〜７２をそれぞれ直径２０ｃｍの円形に切り取り、略中央に直径５ｃｍの円形の穴を開け、該穴から端の部分まで７．５ｃｍの切り込みを入れた。これを２枚重ね合わせて縁をミシンで縫い合わせ、本発明の果実カバー１〜７２をそれぞれ得た。
なお、表３において、ネットの作製に使用した混合物は表１に記載の混合物を示し、作製したネットは表２に記載のネットを示し、該ネットとは樹脂糸の太さ及び網目の大きさが表２に記載の組み合わせであるネットを指す。
【００３１】
【表３】
2015029430.tif 000005
［表３のつづき］
2015029430.tif 000006
［表３のつづき］
2015029430.tif 000007
【００３２】
［実施例２］
表３に記載のネット１〜７２をそれぞれ一辺２０ｃｍの正方形に切り取り、略中央に直径５ｃｍの円形の穴を開け、該穴から一辺の略中央まで７．５ｃｍの切り込みを入れた。これを２枚重ね合わせて縁をミシンで縫い合わせ、本発明の果実カバー７３〜１４４をそれぞれ得た。
【００３３】
［実施例３］
表３に記載のネット１〜７２をそれぞれ短辺１５ｃｍ、長辺２０ｃｍの長方形に切り取り、短辺から内側に５ｃｍ、長辺から内側に７．５ｃｍで交差する点を中心として直径５ｃｍの円形の穴を開け、該穴から短辺の略中央まで２．５ｃｍの切り込みを入れた。これを２枚重ね合わせて縁をミシンで縫い合わせ、本発明の果実カバー１４５〜２１６をそれぞれ得た。
【００３４】
［実施例４］
表４に記載の混合物をそれぞれ紡糸して得られた樹脂糸が多数の網目を形成するように織られ、樹脂糸の太さは８０デニール、網目の大きさは一辺が０．４ｍｍである織り構造のネットを使用する以外は、実施例１と同様の操作を行い、表４に示す本発明の果実カバー２１７〜２２４をそれぞれ得る。なお、表４において、ネットの作製に使用した混合物は表１に記載の混合物を示す。
【００３５】
【表４】
2015029430.tif 000008
【００３６】
［実施例５］
表５に記載の混合物をそれぞれ紡糸して得られた樹脂糸が多数の網目を形成するように織られ、樹脂糸の太さは２００デニール、網目の大きさは一辺が４．０ｍｍである織り構造のネットを使用する以外は、実施例１と同様の操作を行い、表５に示す本発明の果実カバー２２５〜２３２をそれぞれ得る。なお、表５において、ネットの作製に使用した混合物は表１に記載の混合物を示す。
【００３７】
【表５】
2015029430.tif 000009
【００３８】
［実施例５］
表６に記載の混合物をそれぞれ紡糸して得られた樹脂糸が多数の網目を形成するように織られ、樹脂糸の太さは３００デニール、網目の大きさは一辺が１０．０ｍｍ、もう一辺が１．０ｍｍである織り構造のネットを使用する以外は、実施例２と同様の操作を行い、表６に示す本発明の果実カバー２３３〜２４０をそれぞれ得る。なお、表６において、ネットの作製に使用した混合物は表１に記載の混合物を示す。
【００３９】
【表６】
2015029430.tif 000010
【符号の説明】
【００４０】
１  糸
３  網目
４  果実カバー
５  果実
ａ  長さ
ｂ  幅
ｃ  対角線
【図１】
2015029430.tif 000011
【図２】
2015029430.tif 000012
【図３】
2015029430.tif 000013
【図４】
2015029430.tif 000014
【図５】
2015029430.tif 000015
【図６】
2015029430.tif 000016
【図７】
2015029430.tif 000017
【図８】
2015029430.tif 000018
【図９】
2015029430.tif 000019